(57)【要約】【課題】視覚障害者に対し学校の授業等の資料を、立体コピーで作成する場合には、たとえ立体コピー現像機のみを使用する簡易な方式でも、装置の発生する熱や騒音並びに使い勝手の悪さから、授業等の前に、あらかじめ、立体コピーを作成しておくのが普通であり、授業中に教師が即興的に描いた図に対応した立体コピーを即座に作成することは容易でなかった。【解決手段】肉厚の薄い金属パイプを曲げて形成したＶ字型の金属ペンと、その金属ペンに絶縁膜を介し巻きつけた発熱金属線、その発熱金属線に電圧を加える電源、金属ペンを固定する断熱性のあるペン軸を設け構成した。これにより、ペン軸を片手で握って、安全かつ無騒音の状態で、即座かつ自由にカプセルペーパー上に立体像を直接形成することができる。【選択図】図１
2006044204.tif 000002
【特許請求の範囲】
【請求項１】
肉厚の薄い金属パイプからなる金属ペンと、前記金属ペンに絶縁膜を介し巻きつけた発熱金属線、前記発熱金属線に電圧を加える電源、金属ペンを固定する断熱性のあるペン軸を設けた携帯型立体像形成ペン
【請求項２】
肉厚の薄い金属パイプを曲げて形成したＶ字型の金属ペンと、前記金属ペンに絶縁膜を介し巻きつけた発熱金属線、前記発熱金属線に電圧を加える電源、金属ペンを固定する断熱性のあるペン軸を設けた携帯型立体像形成ペン
【発明の詳細な説明】
【技術分野】
【０００１】  本発明は、視覚障害者に対し、図形や文字情報を伝達するとき、紙面上に線画等の部分が、凸部となる立体像を提供する場合、その立体像を有する資料を作成する装置に関する。
【背景技術】
【０００２】  従来の立体像を形成するシステム（例えば、非特許文献１参照。）は、立体コピーシステムと呼ばれ、カプセルペーパー、立体コピー複写機（例えば、非特許文献２参照。）と立体コピー現像機（例えば、非特許文献３参照。）からなっている。立体コピーシステムでは、まず、立体コピー複写機により、カプセルペーパーと呼ばれる熱処理により立体像を作り上げる特殊な紙に、立体コピーを作成したい資料・図面等を黒白で複写する。次に、立体コピー現像機により、ハロゲンランプ等から発する熱を吸収させることにより、カプセルペーパーの黒い部分を盛り上がらせ、立体像を形成する。【０００３】  立体コピーシステムを簡易に利用するときは、黒色のペンでカプセルペーパーに図を直接描き、立体コピー現像機のみで立体像を形成することもできる。非特許文献３の立体コピー現像機は、重量かつ大型で持ち運びが容易でない。また、非特許文献３の装置より小型の立体コピー現像機（例えば、非特許文献４参照。）ならば、デスクトップ型で、軽量で持ち運びしやすい。しかし、いずれの装置もＡＣ１００Ｖの電源を必要とし、電源コンセントまで電源コードで接続する必要がある。また動作中の騒音も大きい。特に非特許文献４の装置は、小型軽量であるものの、ヒーターランプの熱が外に漏れ出す構造になっており、取り扱いに注意が必要である。
【非特許文献１】「こころリソースブック２００２年版」、こころリソースブック出版会、２００２年、ｐ．６８
【非特許文献２】「ＥＰ２０５１立体コピー  マニュアル」、ミノルタ株式会社、１９９７年
【非特許文献３】「ＭＯＤＥＬ  ＹＭＴ−Ａ３  マニュアル」、松本興産株式会社
【非特許文献４】「立体コピー作成機  ピアフ（ＰＩＡＦ）  カタログ」、ケージーエス株式会社
【発明の開示】
【発明が解決しようとする課題】
【０００４】  立体コピーシステムの立体コピー複写機は大型で持ち運びは極めて困難である。立体コピー現像機は小型軽量で持ち運びやすいものもあるが、ヒーターランプの熱が漏れ出すので、取り扱いに注意が必要である。また、いずれの装置もＡＣ１００Ｖの電源を必要とし、電源コンセントまで電源コードで接続する必要がある。また動作中の騒音も大きく、教室に持ち込んで使用するには適さない。従って、学校の授業等の資料を立体コピーで作成する場合には、たとえ立体コピー現像機のみを使用する簡易な方式でも、授業等の前に、あらかじめ、立体コピーを作成しておくのが普通であり、授業中に教師が即興的に描いた図に対応した立体コピーを即座に作成することは、容易でなかった。【０００５】  本発明は、このような従来の立体コピーシステムの構成が有していた問題を解決しようとするものであり、通常のペンで図を描くようにして、安全かつ無騒音の状態で、即座かつ自由にカプセルペーパー上に立体像を直接形成する携帯型の装置を実現することを目的とするものである。
【発明を解決するための手段】
【０００６】  そして、本発明は、上記目的を達するために、肉厚の薄い金属パイプを曲げて形成したＶ字型の金属ペンと、前記金属ペンに絶縁膜を介し巻きつけた発熱金属線、前記発熱金属線に電圧を加える電源、金属ペンを固定する断熱性のあるペン軸を設けたものである。ここで、肉厚が薄いとは、１ｍｍ以下の厚さのことを言う。
【０００７】  上記の解決手段による作用は、次の通りである。電池等の電源から電流を供給すると、ニクロム線等の発熱金属線は発熱し、それに応じて肉厚の薄い金属パイプは、熱容量が極めて小さいゆえ急速に温度が上昇し、金属ペンの先端部の温度はカプセルペーパーに接すると、突部を容易に形成することができる。粘土などの断熱性のある材料でペン軸を製作すれば、ペン軸を片手で握って、カプセルペーパー上に立体像を、安全かつ無騒音の状態で、即座かつ自由に直接描くことができる。
【発明の効果】
【０００８】  本発明は、従来の立体コピーシステムの短所を除去した携帯型立体像形成ペンを提供することである。その特徴は、第１に、小型軽量で容易に携帯可能にするものである。第２に、電池で駆動可能で、ペン型等の持ちやすい形にし、安全かつ無騒音の状態で、即座かつ自由にカプセルペーパー上に図等の立体像を直接形成することを可能にするものである。
【発明を実施するための最良の形態】
【０００９】  以下、本発明の実施の形態を図１に基づいて説明する。【００１０】  図においては、１はカプセルペーパーを加熱する金属ペンで、発熱金属線２が絶縁膜を間において巻かれている。絶縁膜は、パラフィン紙などを用い、あらかじめ金属ペンに巻いておく。これは、図に特に示してない。金属ペンは、ごく薄い肉厚の金属パイプで、Ｖ字型に折ったもので形成される。金属は、銅などの熱伝導性が高いものを用いる。発熱金属線は、ニクロム線等を用いる。発熱金属線は圧着パイプ４、５を介して、導線６、７に接続されている。導線６は、スイッチ８を介して、電池９の負極に接続される。導線７は、そのまま電池１０の正極に接続される。電池９、１０は、直列に接続される。電池は、通常の１．５Ｖの乾電池等を用いる。金属ペン１は、片手で握りやすくかつ熱を遮断するように、粘土等のペン軸３で被覆される。１１はカプセルペーパーで、金属ペン１により、立体像が描かれつつある状態を示している。【００１１】  以下、上記構成の動作を説明する。金属ペン１は、肉厚の薄い金属パイプから形成すれば、その体積は極めて小さく抑えられ、熱容量を極めて小さくすることができる。もし、通常の半田ごてのように、中空でない金属棒で金属ペンを形成すると、その体積が大きく熱容量が大きいため、高温にするには、３ボルトよりはるかに高い電圧を発熱金属線に加える必要がある。中空の金属パイプを用いれば、３ボルト程度の電圧で、金属ペンを十分に高温にすることができる。そのうえで、金属ペン１に熱伝導性の高い銅のような金属を用いれば、温度上昇に要する時間を数秒程度に短くできる。金属ペンのペン先は、スイッチをＯＮにした後、数秒でカプセルペーパーに突部を形成するに十分なほど高温になり、金属ペンのペン先をカプセルペーパーに接触しながら移動すれば、安全かつ無騒音の状態で、即座かつ自由にカプセルペーパー上に立体像を直接形成できる。【００１２】  ペン軸３の形は、図に示したもの以外にもさまざまな形のものが考えられる。図では、片手で覆うようにして握るペン軸を示したが、通常のペンのように棒状にすることも可能である。そのときは、電池をペン軸の中に格納し、スイッチをペン軸に取り付けるとよい。そうすれば、ペン軸の外に出る配線がなくなる利点がある。ただし、ペンが重くなるのは避けられない。なお、カプセルペーパーを黒色等の塗料であらかじめ塗っておけば、金属ペンで加熱するとき塗料が溶けて、カプセルペーパーは突部を形成すると同時に白色になる。これによって、視覚的にも容易に識別できる立体像が得られる。【００１３】  以上のようにして、携帯型の金属ペンは、３ボルト程度の電圧で、カプセルペーパーに立体像を，安全かつ無騒音の状態で、即座に自由に直接形成できる。また、カプセルペーパーにあらかじめ塗料を塗っておけば、立体像が視覚的にも容易に識別できる。
【図面の簡単な説明】
【００１４】
【図１】  本発明の実施形態を示す携帯型立体像形成ペンの構成図
【符号の説明】
【００１５】１  金属ペン
２  発熱金属線
３  ペン軸
４、５  圧着チューブ
６、７  導線
８  スイッチ
９、１０  電池
１１  カプセルペーパー
【図１】
2006044204.tif 000003